(57)【要約】【課題】本発明は、遮熱機能、断熱機能、排湿機能、排気機能、結露防止機能、防水機能、等を有する通気壁構造に係るものである。【解決手段】裏面側にくぼみＡ１を設けた縦張り外壁材Ａを壁下地αに取り付けることにより、外壁材Ａと壁下地α間に通気路γを形成した壁構造において、外壁材Ａの働き幅Ｗを躯体３のピッチＰに対応して形成した通気壁構造である。【選択図】図１
2008014061.tif 000002
【特許請求の範囲】
【請求項１】
裏面側にくぼみを設けた縦張り外壁材を壁下地に取り付けることにより、外壁材と壁下地間に通気路を形成した壁構造において、該外壁材の働き幅を躯体のピッチに対応して形成したことを特徴とする通気壁構造。
【発明の詳細な説明】
【技術分野】
【０００１】
本発明は、遮熱機能、断熱機能、排湿機能、排気機能、結露防止機能、防水機能、等を有する通気壁構造に係るものである。
【背景技術】
【０００２】
壁体内が密閉状態の場合、水蒸気の逃げ場が無く、外気温度が低いと外壁材裏面や壁体内に結露が発生する。そこで、壁体内の水蒸気を外気に排出して内部結露を防止したり、土台や柱にしみ込んだ水分を外気に排出するために、外壁材と躯体間に厚さ２０ｍｍ程度の空気層を設ける工法、所謂通気工法が開発された。本来、通気工法とは、壁内結露防止のための工法である。（例えば、特許文献１〜６参照）。
【０００３】
【特許文献１】特開平０９−１１９１７５号公報
【特許文献２】特開平０９−１４４１５２号公報
【特許文献３】特開平１１−２４１４２７号公報
【特許文献４】特開平１１−２９３８０１号公報
【特許文献５】特開２０００−２９１１６９号公報
【特許文献６】特開２００３−３２８４６０号公報
【発明の開示】
【発明が解決しようとする課題】
【０００４】
しかしながら、特許文献１〜６は湿気を排出するが、窯業系外壁材は比重が大きいために、熱を蓄積すると共に、熱を徐々に放熱する性状を有し、夜間に熱を放出し、快適な居住空間を形成することが出来ないと共に、エネルギーのロスとコスト高となるものであった。また、窯業系外壁材の雨漏りを防止するために通気工法を採用することが多くなり、現在では雨仕舞いのための工法として考えている人も多い。
【課題を解決するための手段】
【０００５】
本発明はこのような欠点を解決するために、裏面側にくぼみを設けた縦張り外壁材を壁下地に取り付けることにより、外壁材と壁下地間に通気路を形成した壁構造において、外壁材の働き幅を躯体のピッチに対応して形成したことを特徴とする通気壁構造を提供するものである。
【発明の効果】
【０００６】
本発明に係る通気壁構造によれば、（１）壁内の湿気、汚染空気、廃熱、等を屋外に放出する排気機能を有する。（２）土台、柱の水分を屋外に放出することが出来る。（３）通気路が空気層として機能し、断熱性を生かせる。（４）防水性も維持出来る。（５）通気路（壁）内に結露が生じない。（６）結露が生じないので、躯体の腐朽が生じにくい。（７）通気路（空気層）を形成した外壁材が断熱材として機能する。（８）外壁材が断熱材として機能するために、夏季の冷房効率、冬季の暖房効率を高められる。（９）外壁材の断熱性により、外壁材の裏面および壁内の温度が高く保持され、より内部結露の発生が抑えられる。（１０）壁下地の躯体のピッチに対応した働き幅で形成した外壁材を使用ために、壁下地上に横胴縁を形成する必要が無く、コストが低下し、施工性が向上する。（１１）外壁材の裏面にくぼみを形成するために横胴縁を形成すること無く、かつ、横胴縁を躯体上で３０ｍｍ位の間隙を有して施工して、土台から軒に連通する通気路を形成する必要がないために、コスト低減と施工性のアップが図られる。等の特徴、効果がある。
【発明を実施するための最良の形態】
【０００７】
以下に図面を用いて本発明に係る通気壁構造について詳細に説明する。図１（ａ）は本発明に係る通気壁構造を示す断面図、図１（ｂ）は本発明に係る通気壁構造の空気の流れを示す断面図、２は本発明に係る通気壁構造を示す断面図、図３（ａ）、（ｂ）は本発明に係る通気壁構造に使用する外壁材Ａの一例を示す説明図である。図中、αは壁下地、βは釘等の固定具、γは通気路、γ１は排気エアを示している。排気エアγ１は湿気、汚染空気、廃熱、等で、屋外に排気されるべきものである。
【０００８】
壁下地αの一例としては、内装材１、ポリエチレンシート等の防湿層２（一点鎖線で示す）、主柱、間柱等の躯体３、躯体３間に形成したグラスウール等の断熱材４より形成したものである。なお、躯体３としては、木造軸組工法、木造枠組工法（ツーバイフォー工法）、あるいは鉄骨軸組工法、等である。
【０００９】
５は防風透湿層（二点鎖線で示す）であり、透湿防水シート（風・雨を通さず湿気だけを通す不織布）、あるいは透湿防水板（透湿性の高いシージングボード、シージングインシュレーションボード、等）よりなり、透湿性、防風性、防水性、等を有する部材より形成したものである。
【００１０】
Ａは外壁材であり、遮熱性、断熱性、防水性、気密性、耐候性、等の機能を有する部材であり、例えば、図３（ａ）に示すような金属系外壁材、あるいは窯業系外壁材、等を使用するもので、通気路γを形成する通気路形成部材６としても機能するものである。また、図２、図３（ｂ）に示すように躯体３の形成ピッチをＰ、外壁材Ａの働き幅をＷとすると、Ｗ＝Ｐ、あるいはＷ＝ｎ×Ｐ（ｎは正整数）で形成するものであり、外壁材Ａの働き幅Ｗは躯体３の形成ピッチＰに対応して形成するものである。ＷとＰの寸法は、具体的には４５５ｍｍ（１尺５寸）、９１０ｍｍ（３尺）、５００ｍｍ、１０００ｍｍ、等である。
【００１１】
このように、外壁材Ａの働き幅Ｗを躯体３の形成ピッチＰに対応して形成することにより、躯体３上に胴縁などの固定した時を形成することなく、外壁材Ａを縦に施工することが出来、通気路γも連続的に土台から軒に向かって連続的に形成されるものである。勿論、壁下地α上にボード等の断熱材を形成した場合にでも、ボードの固定位置により躯体３の場所が特定できるために、外壁材Ａの施工には支障は来さないものである。
【００１２】
さらに詳説すると、外壁材Ａは表面材Ｂと芯材Ｃと裏面材Ｄとから一体に形成した縦張りの金属系外壁材、あるいは窯業系外壁材であり、端部に雄雌連結構造を形成した長尺状板材（８尺、９．５尺、１０尺、１２尺、１２．５尺、１８尺、２４尺、３ｍ、３．８ｍ、４ｍ、６ｍ、等）である。
【００１３】
金属系外壁材よりなる外壁材Ａの表面材Ｂと裏面材Ｄは金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したものである。
【００１４】
さらに、裏面材Ｄとしてはアルミニウム蒸着紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものである。
【００１５】
芯材Ｃは例えばポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体Ｃ１からなるものであり、特に耐火性を必要とする場合にはレゾール型フェノールの原液と、硬化剤、発泡剤を混合し、表面材Ｂ、もしくは裏面材Ｄの裏面側に吐出させ、加熱して反応・発泡・硬化させて形成したものである。
【００１６】
また、芯材Ｃ中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることも出来る。
【００１７】
合成樹脂発泡体Ｃ１は、夏には、従来の外壁材Ａとして窯業系外壁材を使用した時のように、昼の熱を蓄積し、夜間に放熱するようなことが無く、夏にはエアコンによる冷房の効率化を図り、冬には暖房の効率化が図られ、省エネルギーとコスト削減が図られるものである。これは、窯業系外壁材は比重が大きいために、蓄熱すると共に、熱を徐々に放熱する性状を有するのに対して、合成樹脂発泡体Ｃ１を芯材Ｃとして使用した本発明に係る通気壁構造で使用する外壁材Ａは、蓄熱することが無いために、夜間に熱を放出することが無く、快適な居住空間を形成すると共に、省エネルギーとコスト削減が図られるものである。
【００１８】
通気路γは、外壁材Ａの裏面を凹条に窪ませてくぼみＡ１を形成した部分により形成されるものであり、屋内の湿気、汚染空気、廃熱、等を屋外に排出するための空間である。その寸法Ｈとしては、Ｈ＝７ｍｍ〜１２ｍｍ位である。
【００１９】
７は上開口、８は下開口であり、外壁材Ａにより形成された通気路γと連通し、屋内の湿気、汚染空気、廃熱、等の排気エアγ１を屋外に排出するための出口、あるいは入口として機能する部分である。勿論、図では上開口７は軒天内部に露出されているために、排気エアγ１は軒天に形成された軒天有孔板１０、あるいは、図示しないが棟換気口から図１（ｂ）に矢印で示すように外部に排出されるものである。
【００２０】
９は水切りであり、外壁材Ａの下端部を納めるための部材である。
【００２１】
１０は軒天有孔板であり、通気路γを通ってきた湿気、汚染空気、廃熱、等を屋外に排出するためのものであり、複数個の孔を形成した通気部１０ａを形成したものである。
【００２２】
次に、図１（ａ）、（ｂ）〜図３（ａ）、（ｂ）を用いて本発明に係る通気壁構造の施工方法について説明する。まず、内装材１、ポリエチレンシート等の防湿層２、主柱、間柱等の躯体３、躯体３間に形成したグラスウール等の断熱材４より形成した壁下地α上に、防風透湿層５（透湿防水シート）を形成する。なお、壁下地αの形成ピッチＰ＝４５５ｍｍである。
【００２３】
防風透湿層５の形成が完了したら、水切り１０を形成する。
【００２４】
その後、働き幅Ｗ＝４５５ｍｍ（１尺５寸）、通気路γの厚さＨ＝１０ｍｍの外壁材Ａを縦に、図１（ａ）、（ｂ）に示すように軒天有孔板１０形成位置より上方まで来るように、かつ、図２に示すように４５５ｍｍピッチで躯体３に複数本縦に固定具βを介して固定して壁面を形成し、その後、軒天有孔板１０を軒天に施工し、施工を完了するものである。
【００２５】
以上説明したのは本発明に係る通気壁構造の一実施例にすぎず、図４（ａ）〜（ｅ）〜図１０に示すように形成することも出来る。
【００２６】
図４（ａ）〜（ｅ）〜図７（ａ）〜（ｆ）は外壁材Ａのその他の実施例を示す断面図であり、特に、図６（ａ）〜（ｆ）、図７（ａ）〜（ｆ）は窯業系の外壁材Ａを示す断面図である。
【００２７】
図８（ａ）、（ｂ）は躯体３上にボード１１を形成したものであり、耐震性、断熱性、耐結露性、防音性、遮熱性、等を向上するものである。図８（ａ）は躯体３上に防風透湿層５を形成し、その上にボード１１、外壁材Ａを形成した通気壁構造、図８（ｂ）は躯体３上にボード１１、外壁材Ａを形成した通気壁構造である。
【００２８】
ボード１１の素材としては、例えば構造用合板であり、建築物の構造耐力上主要な部分に使用する合板である。構造用合板の構造用合板１級（特類・１類）とは、２×４住宅（ツーバイフォー）等の建築物の耐力構造上必要な部位に使用される合板で、Ｋプライと呼ばれるものである。寸法は厚さ７．５〜２４ｍｍ、幅＝９１０・１２２０ｍｍ、等（幅は任意）、長さ＝１８２０・２４３０・２７３０ｍｍ、等（長さは任意）である。単板の厚さが規定され、それによって合板の強度保証をしているものである。また、構造用合板の構造用合板２級（特類・１類）とは、１級と同様に使用されるが針葉樹合板が主としたものである。寸法は厚さ＝５．５〜２４ｍｍ、幅＝９１０・１２２０ｍｍ、等（幅は任意）、長さ＝１８００・１８２０・２４３０・２７３０ｍｍ、等（長さは任意）である。外装用には「特類」を使用すると良いものである。
【００２９】
ボード１１のその他の素材としては、例えば、ウレタンフォーム、押出ポリスチレン、フェノールフォーム、等の合成樹脂発泡体よりなるもの、あるいはこれら合成樹脂発泡体をシート材（クラフト紙、アスファルトフェルト、アルミニウム蒸着紙、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート、等）、板材（石膏ボード、セメント板、炭酸カルシウム板、珪酸カルシウム板、木片セメント板、炭酸マグネシウム板、シージングボード、シージングインシュレーションボード、合板、等）でサンドイッチした複合板である。
【００３０】
図９は、軒天有孔板１０の代わりに、通常の軒天板を使用し、通気路γからの排出を棟換気口からとした通気壁構造である。
【００３１】
図１０は桁に通気路γと連通した孔を複数個形成した尺状の通気止縁１２を形成し、軒天部分から排気エアγ１を外部に排出することが出来るようにした通気壁構造である。
【図面の簡単な説明】
【００３２】
【図１】本発明に係る通気壁構造の代表的一例を示す説明図である。
【図２】本発明に係る通気壁構造の代表的一例を示す説明図である。
【図３】本発明に係る通気壁構造に使用する外壁材の代表的一例を示す説明図である。
【図４】本発明に係る通気壁構造に使用する外壁材のその他の例を示す説明図である。
【図５】本発明に係る通気壁構造に使用する外壁材のその他の例を示す説明図である。
【図６】本発明に係る通気壁構造に使用する外壁材のその他の例を示す説明図である。
【図７】本発明に係る通気壁構造に使用する外壁材のその他の例を示す説明図である。
【図８】本発明に係る通気壁構造のその他の実施例を示す断面図である。
【図９】本発明に係る通気壁構造のその他の実施例を示す断面図である。
【図１０】本発明に係る通気壁構造のその他の実施例を示す断面図である。
【符号の説明】
【００３３】
α  壁下地
β  固定具
γ  通気路
γ１  排気エア
Ａ  外壁材
Ａ１  くぼみ
Ｂ  表面材
Ｃ  芯材
Ｃ１  合成樹脂発泡体
Ｄ  裏面材
１  内装材
２  防湿層
３  躯体
４  断熱材
５  防風透湿層
６  通気路形成部材
７  上開口
７ａ  上通気部
８  下開口
８ａ  下通気部
９  水切り
１０  軒天有孔板
１０ａ  孔
１１  ボード
１２  通気止縁
【図１】
2008014061.tif 000003
【図２】
2008014061.tif 000004
【図３】
2008014061.tif 000005
【図４】
2008014061.tif 000006
【図５】
2008014061.tif 000007
【図６】
2008014061.tif 000008
【図７】
2008014061.tif 000009
【図８】
2008014061.tif 000010
【図９】
2008014061.tif 000011
【図１０】
2008014061.tif 000012
【手続補正書】
【提出日】平成18年8月8日(2006.8.8)
【手続補正１】
【補正対象書類名】明細書
【補正対象項目名】０００７
【補正方法】変更
【補正の内容】
【０００７】
以下に図面を用いて本発明に係る通気壁構造について詳細に説明する。図１（ａ）は本発明に係る通気壁構造を示す断面図、図１（ｂ）は本発明に係る通気壁構造の空気の流れを示す断面図、図２は本発明に係る通気壁構造を示す断面図、図３（ａ）、（ｂ）は本発明に係る通気壁構造に使用する外壁材Ａの一例を示す説明図である。図中、αは壁下地、βは釘等の固定具、γは通気路、γ１は排気エアを示している。排気エアγ１は湿気、汚染空気、廃熱、等で、屋外に排気されるべきものである。
【手続補正２】
【補正対象書類名】明細書
【補正対象項目名】００１１
【補正方法】変更
【補正の内容】
【００１１】
このように、外壁材Ａの働き幅Ｗを躯体３の形成ピッチＰに対応して形成することにより、躯体３上に胴縁などの固定下地を形成することなく、外壁材Ａを縦に施工することが出来、通気路γも連続的に土台から軒に向かって連続的に形成されるものである。勿論、壁下地α上にボード等の断熱材を形成した場合にでも、ボードの固定位置により躯体３の場所が特定できるために、外壁材Ａの施工には支障は来さないものである。